(57)【要約】  水門が開示される。水門は、洪水に対して障壁を形成するための出入口に設置するためのパネルと、パネルが、使用時に、直立方向に延びる、ヒンジの軸を中心に、開位置と閉位置との間を移動可能である、ヒンジと、パネルが開位置にあるときに、地面との密封係合を提供して、洪水に対する障壁を形成するシール要素とを備え、前記ヒンジは、パネルと協働するように構成され、パネルが閉位置から開位置に向かって移動する際に、パネルを地面から離れる方向に移動させ、それにより、シール要素と地面との間の密封係合を解放する。
2018524498.tif 000002
【特許請求の範囲】
【請求項１】
水門であって、
洪水に対して障壁を形成するための出入口に設置されるパネルと、
使用時に、直立方向に延びるヒンジの軸を中心にパネルが開位置と閉位置との間で移動可能なヒンジと、
前記パネルが閉位置にあるときに、地面との密封係合を提供するために前記パネルの縁部に結合され、それにより、洪水に対する障壁を形成するシール要素とを備え、
前記ヒンジは、前記パネルと協働するように構成され、前記パネルが閉位置から開位置に向かって移動する際に、前記パネルを地面から離れる方向に移動させ、それにより、前記シール要素と地面との間の密封係合を解放する水門。
【請求項２】
前記ヒンジは、上昇ヒンジを含む請求項１の水門。
【請求項３】
前記シール要素は、地面と密封係合を形成するシール面を含み、前記シール面が波形を含む請求項１又は２の水門。
【請求項４】
前記波形は、前記パネルに垂直な方向に対してある角度なす方向に延びるリブを含む請求項３の水門。
【請求項５】
前記密封係合の際に、前記シール面は、地面に結合された閾板と連続している請求項３又は４の水門。
【請求項６】
前記シール要素は、地面に向かって先細になった断面を有し、前記断面が縁部の長さに垂直である請求項１から請求項５のうちいずれか１項の水門。
【請求項７】
複数のシール要素が前記パネルの複数の縁部に取り付けられ、それにより、前記各縁部で隣接する構造体との密封係合を形成する請求項１から請求項６のうちいずれか１項の水門。
【請求項８】
前記パネルを閉位置に固定するためのロック部材をさらに備える請求項１から請求項７のうちいずれか１項の水門。
【請求項９】
前記パネルは、開位置に向かって移動することを可能にするために、ロック部材を停止させるように構成された作動部材をさらに備える請求項１から請求項８のうちいずれか１項の水門。
【請求項１０】
前記パネルは、前記ヒンジを介して壁に結合される請求項１から請求項９のうちいずれか１項の水門。
【請求項１１】
前記パネルは、前記ヒンジを介して支柱に接続されており、前記支柱が、壁により画定された平面から横方向に突出している請求項１０の水門。
【請求項１２】
前記ヒンジに隣接する前記パネルの縁部は、前記支柱と密封係合をする請求項１１の水門。
【請求項１３】
前記パネルは、アルミニウムベースの複合材料で形成される請求項１から請求項１２のうちいずれか１項の水門。
【請求項１４】
使用時に、直立方向に延びる第２のヒンジの軸を中心に開位置と閉位置との間で移動可能な第２のパネルと、
前記パネルが閉位置にあるときに、地面との密封係合を提供するために前記第２のパネルの縁部と結合し、それにより、洪水に対する障壁を形成する第２のシール要素とをさらに備え、
前記第２のヒンジは、前記第２のパネルと協働するように配置され、前記第２のパネルが閉位置から開位置に向かって移動すると、前記第２のパネルを地面から離れる方向に移動させ、それにより、前記第２のシール要素と地面との間の密封係合を解放し、
前記２つのパネルは、前記２つのヒンジの軸の間にあり、互いに協働して対向する隣接する縁部に密封係合を形成する請求項１から請求項１３のうちいずれか１項の水門。
【請求項１５】
水門であって、
洪水に対して障壁を形成するために出入口に設置される第１のパネルと、
使用中に、直立方向に延び、前記第１のパネルがヒンジの軸を中心に開位置と閉位置との間で移動可能な、少なくとも１つヒンジと、
前記第１のパネルが閉位置にあるときに、地面との密封係合を提供するためにパネルの縁部に結合し、それにより、洪水に対する障壁を形成するシール要素とを備え、
前記ヒンジは、前記第１のパネルと協働するように配置され、前記第１のパネルが閉位置から開位置に向かって移動すると、前記第１のパネルを地面から離れる方向に移動させ、それにより、前記シール要素と地面との間の密封係合を解放し、
前記水門は、第２のパネルと協働するように構成された連結機構をさらに備え、
前記第２のパネルは、前記ヒンジの軸に平行な第２の軸を中心に移動可能であり、
前記連結機構は、前記第２のパネルが前記第２の軸を中心に旋回すると、前記第１のパネルを対応する角度で前記ヒンジの軸を中心に旋回させるように構成される水門。
【請求項１６】
前記連結機構は、垂直方向に沿った前記パネルの相対的な移動を収容するように構成される請求項１５の水門。
【請求項１７】
前記連結機構は、直立方向に直交する横方向に沿った前記パネルの相対的な移動を収容するように構成される請求項１５又は１６の水門。
【請求項１８】
前記連結機構は、前記第１のパネルの横方向に沿って延在する案内スロットと協働するように構成された連結部材を備え、
前記連結部材は、前記案内スロットを中心に旋回可能である請求項１７の水門。
【発明の詳細な説明】
【技術分野】
【０００１】
本発明は、水門に係り、特に、例えば、建物の火災の際に、非常口にアクセスすることを可能にする水門に関する。
【背景技術】
【０００２】
洪水（例えば、雨量の増加による）は、財産、インフラ及び経済に大きな被害をもたらす可能性がある。水門（又は洪水障壁）は、既存の排水システムに加えてインフラ（例えば、建物又は地下駐車場）に洪水が入るのを防止するための有効な手段である。例えば、洪水中には、洪水の侵入からインフラを保護するための障害物を形成するために、パネル状の水門が立てられる。
【発明の概要】
【発明が解決しようとする課題】
【０００３】
しかしながら、立てられた水門は、特に建物の火災のような発生の場合には、使用中の安全上のリスクを課す可能性がある。このような状況では、立てられた水門パネルは、建物の出口を妨害し、緊急時に避難プロセスを妨げる可能性がある。したがって、上記の懸念に対処するための改善された水門を提供することが望ましい。
【課題を解決するための手段】
【０００４】
一般に、本発明は、ほぼ垂直な軸を有するヒンジを中心に旋回可能なパネルを有する水門を提案する。このパネルは、パネルが開位置に向かって揺動するときに、パネルを地面から離すようにパネルと協働し、パネルの下縁に結合されたシール要素が持ち上げられてパネルが開位置に移動できるようにする。これは、パネルが閉位置にあるときに、洪水を防ぐために、シーリング要素が地面との防水シールを形成することを可能にし、地面に対してシール要素を摩耗させたり破損させたりすることなくパネルを開位置に容易に移動させる。このような水門は、建物の緊急出口に設けられてもよい。そのパネルは、特に緊急時に、インフラ内の人々が外部にアクセスできるように出口を開放するために容易に揺動することができるからである。
【０００５】
具体的には、本発明の態様では、出入口に設置して洪水に対する障壁を形成するためのパネルを有する水門が提供される。水門は、さらにヒンジを有し、パネルは、ヒンジの軸を中心として開位置と閉位置との間で移動可能である。使用時には、ヒンジの軸線は、直立方向に延びている。水門は、パネルが閉位置にあるときに、地面との密封係合を提供するパネルの縁に結合されたシール要素をさらに含み、それにより、水門に対する障壁を形成する。使用時、ヒンジは、パネルと協働して、パネルが閉位置から開位置に向かって移動すると、パネルを地面から離して移動させ、それにより、シール要素と地面との間の密封係合を解除する。
【０００６】
水門は、水平軸の代わりに実質的に垂直な軸の回りで水門パネルを動かすことができるので、有利である。これは、水門パネルを持ち上げるために、パネルの重量に直接対抗するために手動の力が必要ないことを意味する。換言すれば、水門はヒンジ付ドアのように揺動することが可能である。さらに、シール要素は、パネルが開位置に向かって移動するときに、地面に対する擦れから保護され、その結果、シール要素は、パネルが閉位置にあるときに、使用又は揺動を繰り返しても、地面との摩擦を最小限にして容易に動くことができ、緊急時の迅速な避難が容易になる。さらに、大雨や洪水の際に遮断される電源を必要とせずに、水門を手動で（開閉の両方で）操作することができる。
【０００７】
一例では、ヒンジは、典型的には、物体間の相対角度運動だけでなく、ヒンジ軸に平行な方向に沿った物体間の相対並進運動を可能にする２つの物体を連結する可動機構である上昇ヒンジを含む。
【０００８】
シール要素は、地面と密封係合を形成するシール面を含み、シール面は、波形を含む。例えば、波形は、パネルに垂直な方向に対してある角度をなす方向に延びるリブを含む。これにより、より効果的なシールを形成するために、シール要素のリブ（多層バリアとして機能することができる）により侵入する水の流れが妨げられる。
【０００９】
密封係合が形成されると、シール面は、地面に結合された閾板と連続することができる。
【００１０】
いくつかの実施形態では、複数のシール要素がパネルの複数の縁部に取り付けられる。これにより、水密障壁を達成するために、隣接する構造体とのそれぞれの縁部で密封係合を形成することが可能になる。
【００１１】
一例では、シール要素は、地面に向かって先細になった横断面を有する。断面は、エッジの長さに対して垂直である。これにより、シール要素を、パネルの縁部及び隣接する構造体により画定された間隔により密接に嵌合させることができ、それにより、より効果的なシールが提供される。
【００１２】
水門は、典型的には、入ってくる水の圧力に耐えるためにパネルを閉位置に固定するためのロック部材を有する。作動部材は、パネルが開位置に向かって移動することを可能にするために、ロック部材を停止させるために設けられてもよい。
【００１３】
パネルは、ヒンジを介して壁に結合されてもよい。一例では、パネルはヒンジを介して支柱に接続され、支柱は壁により画定される平面から横方向に突出する。ヒンジに隣接するパネルの縁部は、支柱と密封係合を形成することができる。
【００１４】
パネルは、アルミニウムベースの複合材料で形成される。これは、構造部材に通常必要とされる重い重量なしに十分な剛性を提供する。
【００１５】
他の実施形態では、第２のヒンジの軸を中心に開位置と閉位置との間で移動可能な第２のパネルが設けられてもよい。軸はまた、使用時に、直立方向に延びる。第２のパネルは、第１のパネルと同様に動作し、２つのパネルは、２つのヒンジの軸の間に配置され、協働して、パネルの対向する隣接縁部に密封係合を形成する。
【００１６】
あるいは、本発明は、洪水に対して障壁を形成するための出入口に設置するための第１のパネルを有する水門として表現できる。水門は、少なくとも１つのヒンジと、ヒンジの軸線を中心に開位置と閉位置との間で移動可能な第１のパネルと、使用中に直立方向に伸長する軸と、第１のパネルが閉位置にあるときに、地面との密封係合を提供するために第１のパネルの縁部に結合するシール要素とを含み、それにより、洪水に対する障壁を形成するように構成される。ヒンジは、パネルが閉位置から開位置に向かって移動する際に、第１のパネルを地面から離れる方向に移動させ、それにより、シール要素と地面との間の密封係合を解除するように構成される。水門は、ヒンジの軸に平行な第２の軸を中心に移動可能な第２のパネルと協働するように構成された連結機構をさらに含む。連結機構は、第２のパネルが第２の軸を中心に旋回すると、第１のパネルを対応する角度でヒンジの軸を中心に旋回させるように構成される。この水門は、建物の緊急出口に設置するために、消火扉（例えば、第２のパネル）に取り付けるために使用することができる。連結機構は、有利には、対応するペースでそれぞれの軸を中心に同時に旋回させるときに、防火扉と水門パネルとの間の相対運動が収容されるようにする。
【００１７】
例えば、連結機構は、直立方向及び直立方向に直交する横方向のいずれか又は両方に沿ったパネルの相対的な移動を収容するように構成されてもよい。
【００１８】
一例では、連結機構は、パネルの横方向に沿って延びる案内スロットと協働するように構成された連結部材を有し、連結部材は、案内スロットを中心に旋回するように動作可能である。
【００１９】
本発明の可能な実施形態を示す添付の図面に関して本発明をさらに説明することは便利であろう。本発明の他の実施形態が可能であり、その結果、添付の図面の詳細は、本発明の前述の説明の一般性に取って代わるものとして理解されるべきではない。
【図面の簡単な説明】
【００２０】
【図１（ａ）】一実施形態に係る水門の立面図である。
【図１（ｂ）】図１（ａ）のＢ−Ｂ線に沿った水門の断面図である。
【図１（ｃ）】図１（ａ）のＡ−Ａ線に沿った水門の断面図である。
【図１（ｄ）】図１（ｂ）の拡大図Ａである。
【図２（ａ）】開位置にある水門の前面不等角図である。
【図２（ｂ）】閉位置にある水門の前面不等角図である。
【図３（ａ）】さらなる実施形態に係る水門の立面図である。
【図３（ｂ）】図３（ａ）のＦ−Ｆ線に沿った水門の断面図である。
【図３（ｃ）】図３（ａ）のＥ−Ｅ線に沿った水門の断面図である。
【図３（ｄ）】図３（ｂ）の拡大図Ｂである。
【図４（ａ）】閉位置にある水門の後方非等角図である。
【図４（ｂ）】開位置にある水門の後方非等角図である。
【図５（ａ）】他の実施形態に係る水門の立面図である。
【図５（ｂ）】図５（ａ）のＤ−Ｄ線に沿った水門の断面図である。
【図５（ｃ）】図５（ａ）のＣ−Ｃ線に沿った水門の断面図である。
【図６（ａ）】閉位置の水門を正面から見た斜視図である。
【図６（ｂ）】開位置にある１つのパネルを正面から見た斜視図である。
【図７（ａ）】閉位置にある水門の後方の不等角図である。
【図７（ｂ）】開位置にある１つのパネルの後方の不等角図である。
【図８（ａ）】さらなる実施形態に係る水門の立面図である。
【図８（ｂ）】図８（ａ）のＨ−Ｈ線に沿った水門の断面図である。
【図８（ｃ）】図８（ａ）のＧ−Ｇ線に沿った水門の断面図である。
【図９（ａ）】閉位置にある水門を正面から見た斜視図である。
【図９（ｂ）】開位置にある１つのパネルを正面から見た斜視図である。
【図１０（ａ）】閉位置にある水門の後方不等角図である。
【図１０（ｂ）】開位置にある１つのパネルの後方不等角図である。
【図１１（ａ）】さらなる実施形態に係る閉位置にある水門の立面図である。
【図１１（ｂ）】図１１（ａ）のＢ−Ｂ線に沿った水門の断面図である。
【図１１（ｃ）】図１１（ａ）のＡ−Ａ線に沿った水門の断面図である。
【図１１（ｄ）】図１１（ｂ）の拡大図Ｆである。
【図１２（ａ）】開位置にある水門の立面図である。
【図１２（ｂ）】図１２（ａ）のＡ−Ａ線に沿った水門の断面図である。
【図１２（ｃ）】図１２（ａ）の拡大図Ｈである。
【図１３（ａ）】閉位置における水門の前面不等角図である。
【図１３（ｂ）】開位置における水門の前面不等角図である。
【図１３（ｃ）】図１３（ｂ）の拡大図Ｋである。
【図１４】開位置にある水門の側面不等角図である。
【図１５（ａ）】他の実施形態に係る閉位置の水門の前面不等角図である。
【図１５（ｂ）】他の実施形態に係る開位置の水門の前面不等角図である。
【図１６（ａ）】閉位置における水門の後方不等角図である。
【図１６（ｂ）】部分的開放位置にある水門の後方不等角図である。
【図１７】部分的開放位置にある水門の前面不等角図である。
【図１８（ａ）】閉位置にある水門の後方の不等角図である。
【図１８（ｂ）】開位置にある１つのパネルの後方の不等角図である。
【図１９】両方のパネルを開いた状態の水門の前面不等角図である。
【発明を実施するための形態】
【００２１】
図１（ａ）、図１（ｂ）及び図１（ｃ）は、洪水の侵入に対する防止のために入口又は出口の出入口１に設置された水門１０を示す。この実施形態では、出口の出入口１（緊急防火口など）は、壁３の壁フレーム５により画定される。水門１０は、ヒンジ１１２を介して直立支柱１０５のような直立支柱に旋回可能に結合された１つの縁部１１０ａを有するパネル１１０を有する。この例では、ヒンジ１１２は、上昇ヒンジである。垂直支柱１０５は、壁フレーム５に近接して配置され、図１（ｃ）に示すように、壁３から建物に向かって横方向に突出している。他の支柱１０５ａは、後述するように、出入口１の対向する側に対称的に設けられ、パネル１１０の接点となる。パネル１１０は、図２（ａ）及び図２（ｂ）に示すように、ヒンジ１１２の回りの縁部１１０ａで開位置と閉位置との間でヒンジ１１２を中心に旋回可能である。閉位置では、パネル１１０は、隣接する構造体と密封係合し、それにより、洪水の侵入に対する障壁を形成する。開位置では、パネル１１０は、閉位置から枢動して出入口１に沿ってアクセス通路を提供する。
【００２２】
好ましくは、パネル１１０は、構造部材に通常必要とされる重い重量なしで剛性を提供する複合材料で作られる。例えば、パネル１１０は、アルミニウムシートで覆われたエッグクレートパネルからなる。エッグクレートパネル１０８及びアルミニウムクラッド１０９の厚さは、それぞれ４ｍｍ及び６ｍｍである（図１（ｃ）参照）。クラッド１０９の厚さは、水門パネル１１０が耐えるように設計された水門の水の高さ及び／又は圧力に依存することが理解されよう。この例では、クラッド１０９の厚さは、少なくとも３ｍｍであることが好ましい。
【００２３】
この例では、垂直支柱１０５、１０５ａは、パネル１１０の構造的完全性を提供するために少なくとも３ｍｍの厚さのステンレス鋼で作られている。ステンレス鋼は、また、良好な耐腐食性及びシール要素（後述する）に対する摩擦を低減するために滑らかな表面を提供し、したがって、この用途に適している。垂直支柱１０５、１０５ａは、建築構造物に永久的に固定されてもよく、マスト状シーラント層は、建築構造物との防水シールを提供するように裏打ちされてもよい。
【００２４】
複数のシール要素１１４ａ、１１４ｃ、１１４ｄは、パネル１１０のそれぞれの縁部１１０ａ、１１０ｃ、１１０ｄに結合され、パネル１１０が閉位置にあるときに、それぞれの隣接する構造体と密封係合を形成する。例えば、シール要素１１４ｄは、出入口１の閾板１１６と防水シールを形成するように構成される。閾板１１６は、地面と平らで、パネル１１０が閉位置に出入りするときに、シール要素１１４ｄに対する摩擦を最小にするステンレス鋼のような金属材料で作られる。他のタイプの材料も可能である。この例では、対向縁部１１０ａ、１１０ｃにそれぞれ配置されたシール要素１１４ａ、１１４ｃは、垂直支柱１０５、１０５ａと協働して、洪水に対して水密障壁を提供する。使用時には、シール要素が変形して隣接する構造体に押しつけられ、それにより、パネルの縁部と対応する隣接する構造体との間の間隔がぴったり嵌合して防水シールを形成する。この例で使用されるシール要素１１４ａ、１１４ｃ、１１４ｄは、加硫熱可塑性加硫剤タイプ（ＴＰＶ）エチレンプロピレンジエンモノマー（ＥＰＤＭ）シールである。有利には、この材料は、ＵＶ及びオゾンに対して良好な耐性を有し、−４０〜１３０℃の耐熱性も有する。図１（ａ）及び図１（ｃ）に示すように、シール要素１１４ａ、１１４ｃ、１１４ｄは、細長く、それぞれの縁部１１０ａ、１１０ｃ、１１０ｄに沿って延びる。シール要素１１４ａ、１１４ｃ、１１４ｄは、自由端に向かって先細になる断面を有する（隣接する構造体と接触する）。例えば、Ｄ字形の断面は、圧縮時にシール要素１１４ａ、１１４ｃ、１１４ｄが、垂直支柱１０５、１０５ａと閾板１１６とが交差する縁部により画定された角の間隔により密接に適合することを可能にする。パネル１１０の縁部１１０ｄの反対側の対応する縁部１１０ｂに、他のシール要素１１４ｂを設けることもできる。
【００２５】
シール要素１１４ａ、１１４ｂ、１１４ｃ、１１４ｄの端部がそれぞれの隣接する構造体に対して圧縮されると、それぞれのシール要素のシール面がそれぞれの隣接する構造体との密封係合を形成する。シール面には、平らなシール面と比較して、洪水の侵入に対する複数の障壁として機能し、したがって、水漏れをさらに防止する波状部が設けられている。波形は、シール面の一般的な輪郭から突出したリブにより形成されてもよく、リブは、パネル１１０の平面に垂直な方向に対してある角度（すなわち、平行ではなく）の方向に又は流入する洪水の方向に表面に沿って延びている。したがって、流入する水の流れは、シール要素のリブにより妨げられる。波形は、シール要素１１４ｄと閾板１１６との間の摩擦を最小にするように設計することができる。シール要素は、典型的には、シールを形成するのに必要な圧縮荷重に耐えることができる材料で作られている。他の例では、シール要素は、耐水性及び／又は腐食防止コーティングを有する。
【００２６】
ヒンジ１１２は、パネル１１０が開位置に向かって移動すると、パネル１１０と協働してパネル１１０を地面から離すように構成される。この例では、ヒンジ１１２は、パネル１１０が閉位置から枢動するにつれて、パネル１１０が地面から持ち上げられるような上昇ヒンジである。これは、次に、シール要素１１４ｄと閾板１１６又は地面との間の密封係合を解除し、シール要素１１４ｄは、閾板１１６又は地面との接触を失う。上昇ヒンジの作用機構は、後により詳細に説明される（例えば、図１３（ａ）に関して）。図１（ｂ）に示すように、ロック機構がパネル１１０に結合され、パネル１１０を閉位置に固定する。
【００２７】
この例では、端部プラグ１２０ａを有するシュートボルト１２０が地面に付勢され、押さえ板１２０ｂのような保持機構により保持される。押さえ板１２０ｂは、パネル１１０が閉位置にあるとき、地面と一緒に平らになる。押さえ板１２０ｂは、地面の窪みと連通する開口部を有する閾板１１６により形成することができる。これにより、パネル１１０がヒンジ１１２を中心に揺動することが防止される。洪水の間、ロック機構は、パネル１１０をラッチし、それにより、パネル１１０を水の侵入に耐える閉位置に保持する（図２（ｂ）参照）。作動部材は、シュートボルト１２０の端部プラグ１２０ａを地面から引っ込めてロック部材を不作動にして、パネル１１０が図２（ａ）に示される開位置に向かってピボットを移動させるように動作可能である。一実施形態では、シュートボルト１２０に機械的に連結されたプッシュバー１２１が作動機構として設けられている。プッシュバー１２１は、パネル１１０に向かって押し下げられたときに枢動して、シュートボルト１２０及びその端部プラグ１２０ａを地面から持ち上げて、パネル１１０を外側に開位置まで揺動させる。これにより、建物の火災の場合に建物の居住者が緊急出口に容易にアクセスすること、すなわち、パネル１１０を開位置に押して建物の外面に遮られていない通路を設けることにより水門１０を停止させることができる。
【００２８】
他の実施形態では、図３（ａ）〜図３（ｃ）に示すように、水門１０は、ヒンジ１１２を介して垂直支柱１０５のような直立支柱に旋回可能に結合された１つの縁部１１０ａを有するパネル１１０を有する。垂直支柱１０５は、壁フレーム５に近接して配置され、壁３から建物の内部に向かって横方向に突出している（図３（ｃ）参照）。他の垂直支柱１０５ａは、出入口１の対向する側に対称的に設けられ、パネル１１０の接点となる。図４（ｂ）及び図４（ａ）にそれぞれ示すように、パネル１１０は、ヒンジ１１２を中心にして、ヒンジ１１２の回りの縁部１１０ａで開位置と閉位置との間でヒンジ１１２を中心に旋回可能である。言い換えれば、パネル１１０は、出入口１に沿ってアクセス通路を提供するために、開かれた位置に向かって内側に（すなわち、建物の居住者又は建物の内部に向かって）旋回することができる。上述の実施形態と同様に、閉位置において、パネル１１０は、隣接する構造体と密封係合する複数のシール要素を有し、それにより、洪水の侵入に対する障壁を形成する。この実施形態では、プルバー１２２が作動部材として設けられ、プルバーが建物の居住者に引き寄せられたときに、ラッチが解除され、パネル１１０が建物の内部に向かって開位置に向かって揺動する。
【００２９】
図４（ａ）及び図４（ｂ）を参照すると、水門１０の近傍には音声又は映像メッセージシステム１２４が設けられており、緊急時に警報信号を提供し、及び／又は緊急避難中の水門１０を如何に停止するかの指示を建物の居住者に提供する。
【００３０】
他の実施形態では、図５（ａ）〜図５（ｃ）に示すように、二枚葉式の水門２０が設けられる。水門２０は、出入口１の対向する側に配置された支柱２０５の間にある２つのパネル２１０、２１１を有し、パネル２１０、２１１はそれぞれ支柱２０５に連結されて支柱を中心に旋回可能に移動する。パネル２１０、２１１の各々は、先の実施形態で説明した水門パネル１１０と同様の方法で動作することが理解されるであろう。例えば、パネル２１０、２１１が閉位置にあるとき、パネル２１０、２１１が地面との密封係合を形成するために、シール要素２１４ｄ、２１４ｆが設けられている。図６（ａ）〜図７（ｂ）を参照すると、パネル２１１は、ヒンジ２１２（この例では、上昇ヒンジである）を中心に移動可能であり、パネル２１１が開位置に向かって移動するときに、地面から離れるように配置される。パネル２１０の縁部２１０ａに配置されたシール要素２１４ａは、パネル２１１の端部２１１ｃに配置された対向するシール要素２１４ｅと協働して、パネル２１０、２１１が閉位置にあるときに、密封係合を形成する。他のシール要素２１４ｃ、２１４ｇ、２１４ｂ、２１４ｈは、パネル２１０、２１１の他の縁部２１０ｃ、２１１ａ、２１０ｂ、２１１ｂに設けられ、水門２０と支柱２０５のような設置位置との間の水密性を維持する。上記の例では、全てのシール要素は、加硫可能な波形のＥＰＤＭシールである。
【００３１】
同様に、水門２０は、パネル２１０、２１１を図５（ｂ）に示すような閉位置に固定するように付勢されたロック機構を有する。図６（ａ）〜図７（ｂ）を参照すると、緊急避難の間、プッシュバー２２１の作動時に、端部プラグ２２０ａが押さえ板２２０ｂから解放される。パネル２１０、２１１の各々は、例えば、図６（ｂ）及び図７（ｂ）に示されるように、互いに独立して開放、閉鎖又は他の方法で操作されてもよい。同様に、プルバー２２２は、図８（ａ）〜図１０（ｂ）に示されるように、二枚葉式水門を示す他の実施形態により、作動機構として使用することができる。
【００３２】
図１１（ａ）〜図１１（ｃ）は、他の実施形態に係る水門３０を示す。水門３０は、建物の緊急出口に設置するために、避難扉３１に取り付けるために使用することができる。この場合、出口は、壁３３の壁フレーム３５により画定される。避難扉３１は、ドアの縁部を中心に旋回してドアを開閉させる。避難扉３１は、避難扉３１を閉位置に向けて付勢するために、扉３１の上端に隣接して設けられた自動ドアクローザ３４０により、壁フレーム３５に接続されている。これにより、使用時に、直立方向に延びる軸線に沿って扉３１を旋回可能に移動させることができる。当業者であれば、扉３１の旋回可能な移動を可能にするために、ヒンジ機構を設けてもよいことが理解されよう。さらに、扉３１は、内外に揺動可能に構成されてもよい。
【００３３】
先に説明した水門１０と同様に、水門３０は、ヒンジ３１２を介して垂直支柱３０５に旋回可能に結合された１つの縁部３１０ａを有するパネル３１０を有する。一般に、扉３１とパネル３１０とが回転する軸線は互いに平行である。垂直支柱３０５は、壁フレーム３５に近接して配置され、壁３３から横方向に突出している。他の垂直支柱３０５は、出入口１の反対側に対称的に設けられている。パネル３１０は、ヒンジ３１２を中心として、ヒンジ３１２の回りの縁部３１０ａで開位置と閉位置との間でヒンジ３１２を中心に旋回可能である。閉位置では、パネル３１０は、隣接する構造体と密封係合を形成し、洪水の侵入に対する障壁を形成する。パネル３１０は、閉位置から離れるように旋回されて、図１３（ａ）及び図１３（ｂ）に示されるように出入口に沿ってアクセス通路を提供することができる。同様に、複数のシール要素３１４ａ、３１４ｂ、３１４ｃ、３１４ｄは、パネル３１０のそれぞれの縁部３１０ａ、３１０ｂ、３１０ｃ、３１０ｄに結合され、パネル３１０が閉位置にあるときに、それぞれの隣接する構造体と密封係合を形成する。
【００３４】
図１３（ａ）及び図１４を参照すると、パネル３１０が閉位置から開位置に回転すると、上昇ヒンジ３１２が水門パネル３１０を持ち上げる。特に、上昇ヒンジ３１２は、軸を中心に回転するように協働する１対のヒンジ脚部３１２ａ、３１２ｂを備える。一対のヒンジ脚部３１２ａ、３１２ｂは、それぞれ、パネル３１０及び垂直支柱３０５に結合されている。パネル３１０が軸を中心に開位置に回転すると、ヒンジ脚部３１２ａ、３１２ｂの間の当接面の上昇により、ヒンジ脚部３１２ａがパネル３１０とともに持ち上げられる。
【００３５】
緊急避難中、扉３１は、扉が通路の方向と実質的に平行になるように、壁３３により画定された平面に対して９０度の位置に開かれることが要求されることがある。図１２（ａ）〜図１２（ｂ）に示されるように、扉３１とパネル３１０とが開位置に向かう（互いに平行な）軸を中心に旋回すると、扉３１とパネル３１０との間の相対角度位置は、変化し得る。さらに、パネル３１０が開位置に向かって移動する際に、パネル３１０が上昇するので、扉３１とパネル３１０との間の相対的な高さも変化し得る。
【００３６】
扉３１の移動に伴って水門３０を移動させるために、避難扉３１と連動する連結機構が設けられており、避難扉３１が開位置に旋回するとき、対応するペースで同時にパネル３１０がヒンジを中心に旋回する。連結機構は、以下に説明するように、直立方向に直交する横方向に沿った扉３１とパネル３１０との間の相対的な移動を収容するように構成される。
【００３７】
この例では、扉３１とパネル３１０との間の相対変位を調整するためのタンデム連結機構が設けられている。特に、パネル３１０は、連結部材３３０を介して避難扉３１に機械的に連結されている。連結部材３３０は、取り付けブラケット３４４及び連結アーム３４２とパネル３１０とを連結するコネクタ３４８を介して、避難扉３１の外部対向面３１ａに旋回可能に取り付けられた連結アーム３４２を備える。連結アーム３４２の一端は、扉３１の平面及び床に平行なヒンジピン３４６を介して取り付けブラケット３４４に結合されており、この例では、連結アーム３４２の第２の端部が、連結アーム３４２を所定の角度範囲内で旋回させることにより、上下され得る。連結アーム３４２の第２の端部は、連結アーム３４２とコネクタ３４８との間の全方向回転運動を可能にするために、パネル３１０に結合されたコネクタ３４８とのボール及びソケットベアリング接続を形成する。ガイドスロット３５０が、連結アーム３４２の移動をコネクタ３４８とともにスロット３５０に沿って案内するために、パネル３１０の横方向寸法に沿って設けられている。ガイドスロット３５０は、スロット３５０に沿って摺動可能に移動するのを助けるために、コネクタ３４８に結合された密封ベアリング３５２と協働するＣ字形断面を有する。密封ベアリング３５２は、コネクタ３４８のソケットに結合され、それにより、移動中の摩擦を最小限に抑えながら、リンク部材３３０とパネル３１０との間の相対的な移動を案内することができる。この結果、連結機構３３０は、扉３１とパネル３１０との間の、直立方向、直立方向に直交する横方向及び回転軸に対して角度方向への相対的な移動を可能にする。ボール及びソケットベアリングのような連結機構３３０の部品は、ステンレス鋼又は他の適切な材料で作ることができる。当業者であれば、パネルと扉との間の相対的な移動を案内して収容するために、それぞれの軸の回りで同時に枢動できるように、連結機構を実施する他の方法が利用可能であることを理解するであろう。
【００３８】
この実施形態では、ロック機構が扉３１のラッチボルト３４２として実施されており、これは、洪水の場合に、水からの入圧に抗するために、避難扉３１を閉位置にロックする。ラッチボルト３４２は、建物の居住者がプッシュバー３２１を作動させ、それにより、パネル３１０を開位置に動かすときに、解放されてもよい。同様に、図１５（ａ）〜図１９により示すように、水門は、二枚葉式の緊急出口／避難扉で実施することができる。
【００３９】
本発明は、図面及び前述の説明において詳細に図示され説明されてきたが、そのような図示及び説明は、実例的又は例示的であり、限定的なものではないと考えられるべきである。本発明は、開示された実施形態に限定されない。開示された実施形態に対する他の変形は、請求の範囲に記載の発明を実施する際に当業者により理解され、達成され得る。
【００４０】
例えば、シール要素及び／又はパネルは、緊急出口扉とともに使用するための高い耐熱性を有する材料のような、用途に適した他の適切な材料で作ることができる。
【００４１】
他の例として、水門は、非常口又は緊急出口扉と連動する以外の場所で使用することができる。
【図１（ａ）】
2018524498.tif 000003
【図１（ｂ）】
2018524498.tif 000004
【図１（ｃ）】
2018524498.tif 000005
【図１（ｄ）】
2018524498.tif 000006
【図２（ａ）】
2018524498.tif 000007
【図２（ｂ）】
2018524498.tif 000008
【図３（ａ）】
2018524498.tif 000009
【図３（ｂ）】
2018524498.tif 000010
【図３（ｃ）】
2018524498.tif 000011
【図３（ｄ）】
2018524498.tif 000012
【図４（ａ）】
2018524498.tif 000013
【図４（ｂ）】
2018524498.tif 000014
【図５（ａ）】
2018524498.tif 000015
【図５（ｂ）】
2018524498.tif 000016
【図５（ｃ）】
2018524498.tif 000017
【図６（ａ）】
2018524498.tif 000018
【図６（ｂ）】
2018524498.tif 000019
【図７（ａ）】
2018524498.tif 000020
【図７（ｂ）】
2018524498.tif 000021
【図８（ａ）】
2018524498.tif 000022
【図８（ｂ）】
2018524498.tif 000023
【図８（ｃ）】
2018524498.tif 000024
【図９（ａ）】
2018524498.tif 000025
【図９（ｂ）】
2018524498.tif 000026
【図１０（ａ）】
2018524498.tif 000027
【図１０（ｂ）】
2018524498.tif 000028
【図１１（ａ）】
2018524498.tif 000029
【図１１（ｂ）】
2018524498.tif 000030
【図１１（ｃ）】
2018524498.tif 000031
【図１１（ｄ）】
2018524498.tif 000032
【図１２（ａ）】
2018524498.tif 000033
【図１２（ｂ）】
2018524498.tif 000034
【図１２（ｃ）】
2018524498.tif 000035
【図１３（ａ）】
2018524498.tif 000036
【図１３（ｂ）】
2018524498.tif 000037
【図１３（ｃ）】
2018524498.tif 000038
【図１４】
2018524498.tif 000039
【図１５（ａ）】
2018524498.tif 000040
【図１５（ｂ）】
2018524498.tif 000041
【図１６（ａ）】
2018524498.tif 000042
【図１６（ｂ）】
2018524498.tif 000043
【図１７】
2018524498.tif 000044
【図１８（ａ）】
2018524498.tif 000045
【図１８（ｂ）】
2018524498.tif 000046
【図１９】
2018524498.tif 000047
【国際調査報告】
2018524498.tif 000048